(57)【要約】【課題】コンピュータ等の所望の項目のガイド情報（ヘルプ表示）の編集をユーザサイドで容易に行う。【解決手段】表示部の一部に表示される被操作領域に関する情報を含みかつユーザからの要求に応じて表示部に表示されるガイド情報を編集するプログラムにおいて、ユーザが被操作領域を指定して所定の操作をしたときに、被操作部と同一の表示部内にガイド情報編集領域を表示し、このガイド情報編集領域にユーザが入力した内容に基づいてガイド情報を更新するようにする。【選択図】  図５
2004334298.tif 000002
【特許請求の範囲】
【請求項１】
表示部の一部に表示される被操作領域に関する情報を含みかつユーザからの要求に応じて前記表示部に表示されるガイド情報の内容を編集するプログラムであって、ユーザが前記被操作領域を指定して所定の操作をしたときに、被操作部と同一の表示部内にガイド情報編集領域を表示し、このガイド情報編集領域にユーザが入力した内容に基づいて前記ガイド情報を更新することを特徴とするガイド情報編集プログラム。
【請求項２】
ユーザが指定した被操作領域に係る更新前のガイド情報がガイド情報編集領域に表示されることを特徴とする請求項１のガイド情報編集プログラム。
【請求項３】
被操作領域は文字情報の入力欄であり、ガイド情報は入力欄への適切な入力仕様に関する情報を含むことを特徴とする請求項１または２に記載のガイド情報編集プログラム。
【請求項４】
被操作領域は文字または画像情報の表示欄であり、ガイド情報は表示欄の表示内容に関する説明であることを特徴とする請求項１または２に記載のガイド情報編集プログラム。
【請求項５】
ガイド情報の更新に先立ちユーザがガイド情報を編集する権限を有するか確認し、権限がない場合にはガイド情報の編集を拒絶することを特徴とする請求項１乃至４のいずれかに記載のガイド情報編集プログラム。
【請求項６】
ガイド情報は、ネットワークを介して複数の端末に接続された記憶媒体に格納され、前記複数の端末によって共用されることを特徴とする請求項１乃至５のいずれかに記載のガイド情報編集プログラム。
【請求項７】
表示部の一部に表示される被操作領域に関する情報を含みかつユーザからの要求に応じて前記表示部に表示されるガイド情報の内容を編集するプログラムであって、ユーザが前記被操作領域を指定して所定の操作をしたときに、被操作部と同一の表示部内にガイド情報編集領域を表示し、このガイド情報編集領域にユーザが入力した内容に基づいて前記ガイド情報を更新することを特徴とするガイド情報編集方法。
【請求項８】
集中処理ユニットを備えてなる制御部と、ユーザからの操作を受け付ける入力部と、前記ユーザに画像情報を提示する表示部と、前記制御部と接続された記憶部とを有し、前記記憶部は、前記制御部により実行されるアプリケーションプログラムが保持されるアプリケーションプログラム格納部と、前記アプリケーションプログラムの実行画面の一部に表示される被操作領域に関する情報を含みかつユーザからの要求に応じて前記表示部に表示されるガイド情報が蓄積されてなるガイド情報格納部とを含んでなり、
前記表示部にアプリケーションプログラムの実行画面が表示されかつユーザが任意の被操作領域を指定して所定の操作を行ったときに、当該被操作領域に関するガイド情報の編集を受け付けるガイド情報編集領域を前記表示部に表示し、ガイド情報編集領域に対してなされた入力に応じて前記ガイド情報を更新する機能を有することを特徴とするコンピュータ。
【発明の詳細な説明】
【０００１】
【発明の属する技術分野】
本発明は、例えばコンピュータのようにユーザから所定の入力または操作を受け付ける装置において、ユーザからの要求に応じて表示されるガイド情報（ヘルプ表示）を編集するプログラムおよび方法並びに、コンピュータに関する。
【０００２】
【従来の技術】
例えばコンピュータ、携帯電子端末または携帯電話機等において用いられる基本プログラム（ＯＳ）やアプリケーションプログラムは多機能化しており、ユーザが行うべき操作や入力は多岐にわたっている。一方で、いわゆるユーザフレンドリー化が求められており、ユーザが操作方法、入力方法をわからなくなったときに、正しい操作方法や入力方法についてのガイド情報（ヘルプ情報）を表示し、参照させることが知られている。（例えば、特許文献１を参照。）
【０００３】
例えば、商品の受発注伝票等の入力支援アプリケーションプログラムの場合、商品の発注数量や種類等を入力する文字情報入力欄が画面に表示されているときに、ユーザがマウス操作等の所定の操作をすることによって、各入力項目の欄への正しい入力方法に関するガイドが表示されるようにすることが知られている。また、例えば印刷や書式設定等の所定のコマンドに関連付けられたアイコン等のグラフィカル・ユーザ・インターフェイス（ＧＵＩ）が表示されているときに、ユーザが所定の操作をすることによって、各ＧＵＩに関わるコマンドの機能や使用方法等のガイドが表示されるようにすることが知られている。
【０００４】
上述したようなガイド情報は、プログラムを製作する際に、例えばソフトハウス等のプログラムの製作者が予め入力しておくことが一般的であるが、ユーザが実際にプログラムを使用しながら、使い勝手を向上させるためにガイド情報を編集したいという要望がある。例えば、発注数量を入力する場合に、ユーザ固有の事情によって入力可能な最小発注数が定められていたり、発注数量は予め定められた発注単位の倍数でなければならないといった制約がある場合に、これをガイド情報に反映させたいという要望がある。例えば、従来、プログラムまたは装置の機能に関するガイド情報（ヘルプ情報）をユーザが編集する専用画面を設けて、この画面上でユーザがガイド情報の内容の編集を行えるものが知られている。しかし、これは特定の項目毎にガイド情報の設定を行うものではなく、また、上述したような業務に関するガイド情報を設定するものではない。
【０００５】
【特許文献１】
特開２００２−７０１９号公報（第１頁、図１等。）
【０００６】
【発明が解決しようとする課題】
このようなガイド情報の編集を、ユーザサイドにおいて、所望の項目について容易に行うことが要望されている。特に、例えばユーザの業務等に関するガイドをユーザサイドで編集できるようにすることが要望されている。また、上述したガイド情報を設定する従来技術においては、ガイド情報の内容がプログラム等の機能に関するものに限られ、業務上の都合を考慮したガイド情報を設定することが配慮されていない。さらに、ガイド情報を編集するための画面を呼び出す手順が煩雑であり、ガイド編集をする場合に、そのガイド情報が表示される対象となるプログラムで行っていた作業の流れを損ない、利便性が低いという問題点があった。
【０００７】
そこで、本発明の課題は、所望の項目のガイド情報の編集をユーザサイドで容易に行うことにある。
【０００８】
【課題を解決する手段】
本発明は、表示部の一部に表示される被操作領域に関する情報を含みかつユーザからの要求に応じて表示部に表示されるガイド情報の内容を編集するプログラムであって、ユーザが被操作領域を指定して所定の操作をしたときに、被操作部と同一の表示部内にガイド情報編集領域を表示し、このガイド情報編集領域にユーザが入力した内容に基づいてガイド情報を更新することを特徴とするガイド情報編集プログラムによって上述した課題を解決する。
【０００９】
本発明によれば、例えば文字情報の入力欄やコマンドアイコンといった被操作領域に対し、例えばマウスのようなポインティングデバイスで指定し、特定のキー操作を行うといった簡単な操作によって、被操作領域と同一のディスプレイ等の表示部にガイド情報編集領域を表示することができる。そして、このガイド情報編集領域内に編集情報を入力することによって容易にガイド情報を編集することができる。これによって、アプリケーションプログラム（ソフトウェア）の利用者は、プログラムの利用中に、タイムリーに所望の項目のガイド情報を編集することができ、これによって例えば会社の業務等、ユーザのニーズに適したガイド情報を利用者が容易に作成でき、利便性を向上することができる。また、ユーザが自分でガイド情報を作成することができるから、プログラム製作者の負担が軽減され、ユーザにとってもプログラム製作者に支払うコストを低減することができる。
【００１０】
この場合、ユーザが指定した被操作領域に係る更新前のガイド情報がガイド情報編集領域に表示されるようにしてもよい。これによれば、更新前のガイド情報に変更を加えることによって、容易に所望のガイド情報を編集できるから便利である。
【００１１】
また、被操作領域が文字情報の入力欄である場合には、ガイド情報は入力欄への適切な入力仕様を含むようにしてもよい。例えば、文字情報が発注数量等の数値である場合には、その上限値や下限値等の制約事項を含むようにしてもよい。一方、被操作領域が例えば記号や文字情報等の情報の表示欄である場合には、ガイド情報は表示欄の表示内容に関する説明であってもよい。例えば、表示欄に表示される星印等の所定のマークによって、在庫状態や売れ行きを表示する場合に、ガイド情報がそのマークの注釈を含むようにしてもよい。
【００１２】
また、ガイド情報の更新に先立ちユーザがガイド情報を更新する権限を有するか確認し、権限がない場合にはガイド情報の更新を拒絶するようにしてもよい。これによって、無権限者によってガイド情報がむやみに改ざんされることを防ぐことができる。
【００１３】
また、ガイド情報は、ネットワークを介して複数の端末に接続された記憶媒体に格納され、複数の端末によって共用されるようにしてもよい。これによれば、複数の端末によって利用されるガイド情報を一元的に編集することができ便利である。ここで、ネットワークとは、例えばインターネット等の大規模通信網であってもよいし、企業内、家庭内のローカル・エリア・ネットワーク（ＬＡＮ）であってもよい。
【００１４】
【発明の実施の形態】
図１は、本発明が適用されてなるガイド情報編集プログラムの一実施形態を実行するコンピュータの構成を示すブロック図である。図１に示すように、このコンピュータは、集中処理ユニット（ＣＰＵ）を有する制御部１と、キーボードおよび例えばマウス等のポインティングデバイスを備える入力部３と、入力部３からの入力信号を処理し、制御部１に伝達する入力処理部５とを有する。さらに、コンピュータは、画像ディスプレイ装置を備えてなる表示部７と、制御部１からの指示に基づいて表示部７に表示される画像を準備する表示処理部９とを有する。
【００１５】
また、制御部１には、例えばハードディスクドライブを備える記憶部１１が接続されている。そして、この記憶部１１には、アプリケーションプログラム格納部１３と、ガイド情報編集プログラム格納部１５と、ガイド情報データ格納部１７とが設けられている。
【００１６】
本実施形態においては、アプリケーションプログラム格納部１３に格納されるアプリケーションプログラムは、商品の発注入力プログラムである。図２は、本実施形態における発注入力プログラムの画面表示の一例を示す図である。図２に示すように、画面左上には、「発注入力」という題名１９が表示され、画面右上には、本アプリケーションプログラムのユーザである入力者の氏名２１が表示されている。そして、その下側は複数の例えば文字情報入力欄等の操作対象部を有する情報入力領域２３となっている。
【００１７】
情報入力領域２３には、発注ナンバー（Ｎｏ）入力欄２５が表示され、その隣の部分には、前回の発注に係る発注ナンバーを参照するための直前発注ナンバー表示欄２７が表示されている。例えば、図２の場合には、直前発注ナンバー表示欄２７に、従前の発注ナンバーである「００１２３３８」が標示されている。そして、ユーザが今回の発注ナンバーである「００１２３４１」を入力すると、この値が発注ナンバー入力欄２５に表示される。
【００１８】
また、発注ナンバーの下側には、商品コード（ＣＤ）入力欄２９が表示されている。商品コードは、このプログラムで取り扱われる各商品ごとに、予め個別に割り当てられた識別番号または文字列である。商品コード入力欄２９の下側には、品名表示欄３１が表示されている。なお、本プログラムにおいて、ユーザが商品コードを商品コード入力欄２９に入力すると、制御部１は、予め記憶部１１に準備された図示しない商品コード−品名テーブルのデータベースを参照し、入力された商品コードに対応する品名を検索し、自動的に品名表示欄にその品名を表示する。例えば、図２の例においては、商品コード入力欄２９にユーザが「０１００２０」と入力したことに対し、品名表示欄３１には、「接続ケーブル  １．２５−ＹＡ４」という品名が表示される。
【００１９】
また、品名表示欄３１の下側には、仕入先コード入力欄３３が表示されている。仕入先コードとは、予め所定の仕入先毎に割り振られた識別用の識別番号または文字列である。例えば、図２の場合においては、仕入先コード入力欄３３には、「００１２０３」とユーザによって入力され、これが表示されている。また、仕入先コード入力欄３３の右側には、仕入先名表示欄３５が表示されている。そして、制御部１は、予め記憶部１１に準備された図示しない仕入先コード−仕入先テーブルのデータベースを参照し、入力された仕入先コードに対応する仕入先を検索し、自動的に仕入先名表示欄３５にその仕入先名を表示する。例えば、図２の例においては、仕入先名表示欄３５には、「溝木エレクトロニクス」という仕入先名が表示されている。
【００２０】
仕入先コード入力欄３３の下側には、発注数量入力欄３７が表示されている。例えば、図２の場合には、発注数量入力欄３７には、「５５０」という発注数量がユーザによって入力されている。また、発注数量入力欄３７の右側には、仕入単価入力欄３９が表示されている。例えば、図２の場合には、仕入単価入力欄３９には、「９０１．５５」という仕入単価がユーザによって入力されている。
【００２１】
そして、発注数量入力欄の下側には、発注金額表示欄４１が表示されている。上述した発注数量入力欄３７および仕入単価入力欄３９にユーザからの入力がなされると、制御部１は、これらの欄に入力された発注数量と仕入単価とを乗算して発注金額を算出し、この算出値を発注金額表示欄４１に表示する。例えば、図２の場合においては、発注金額表示欄４１には、「４９５，８５３」と表示されている。
【００２２】
発注金額表示欄４１の下側には、納期入力欄４３が表示され、その右側には、回答納期入力欄４５が表示される。これらの欄には、ユーザがそれぞれ所望の納期および仕入先より回答のあった納期を文字列として入力する。なお、納期入力欄４３および回答納期入力欄４５はともに所定の操作によって、カレンダーの表示がなされるように構成され、そのカレンダーの表示上の所望の日付を選択することによって、日付を入力できるようになっている。例えば、図２の場合には、ともに「２００３／４／１４」と入力され、表示されている。
【００２３】
納期入力欄４３の下側には、注文書出力命令入力欄４７が表示されている。この注文書出力命令入力欄４７は、いわゆるチェックボックスとなっており、ユーザが画面上で例えばマウスをクリックする等の所定の操作をすると、欄内に例えば「レ」印等のチェックマークが表示され、注文書出力命令が入力されたことを示す。
【００２４】
そして、注文書出力命令入力欄４７の下側には、備考に関する文字列情報が適宜入力される備考入力欄４９が表示されている。図２の場合には、備考入力欄４９には文字列情報は入力されていないが、この欄はユーザが所望のコメントを入力することができる。
【００２５】
また、情報入力領域２３の下端部の領域には、確定ボタン表示５１と、終了ボタン表示５３とが表示されている。これらのボタン表示は、画面上でこれらをユーザがマウスでクリックする等の所定の操作をすることによって「オン」となる。ユーザが確定ボタン表示５１を「オン」にすると、上述した各入力欄に入力された文字列情報が確定情報として承認され、制御部１は、各文字列情報に応じて適宜予め定められた発注処理を行う。また、ユーザが終了ボタン表示５３を「オン」にすると、本プログラムは終了される。
【００２６】
図３は、本実施形態のガイド情報編集プログラムの手順を示すフローチャートである。図３に示すように、このガイド情報編集プログラムは、ガイド情報編集の要求があるか否かを判断するステップＳ０１と、ガイド情報を読込むステップＳ０２と、ガイド情報の編集領域画像を生成するステップＳ０３と、ガイド情報編集領域の画像を出力するステップＳ０４と、編集情報の入力を受け付けるステップＳ０５と、更新後のガイド情報を出力するステップＳ０６とを有して構成されている。以下、ステップ毎に順を追って詳細に説明する。
【００２７】
（ステップＳ０１）
制御部１は、入力処理部５を介し、入力部３から、ユーザがガイド情報の編集の要求を入力したか否か判断する。ガイド情報の編集の要求は、ユーザが例えばマウスを操作して、ガイド情報を編集したい入力欄またはこれに併記された項目名の領域にカーソルを移動し、その後例えばマウスの右ボタンを押す（右クリック）等の所定の操作をすることによって行う。これによって、ユーザが編集を希望するガイド情報が特定される。図４は、ユーザがガイド情報の編集の要求をするために、編集を希望するガイド情報を特定するときの画面表示の一例を示す図である。図４に示すように、画面上にはカーソル５５が表示され、このカーソル５５は、ユーザがマウス等によって移動させることができる。そして、図４の例においては、カーソルは、発注数量入力欄３７の「発注数量」という項目名表示上に重ねられている。この状態で、ユーザが例えばコントロール（Ｃｔｒｌ）ボタンを押しながら、マウスを右クリックする等の所定の操作をすることによって、発注数量入力欄３７に関するガイド情報の編集の要求があったものとされる。そして、ガイド情報の編集の要求があった場合には次のステップＳ０２に進み、なかった場合には、処理を終了する。
【００２８】
（ステップＳ０２）
次に、制御部１は、ユーザが特定したガイド情報に係るガイド情報を、ガイド情報データ格納部１７から読込み、ステップＳ０３に進む。
【００２９】
（ステップＳ０３）
制御部１は、ユーザからのガイド情報の編集に関する入力を受け付ける画面であるガイド情報の編集領域画像を生成する。
【００３０】
（ステップＳ０４）
制御部１は、上述したガイド情報の編集領域画像を、表示処理部９を介して表示部７に表示させる。図５は、ガイド情報の編集領域画像の一例を示す図である。図５に示すように、ガイド情報の編集領域画像５７の上端部には、「ガイドエディタ」というタイトル５９が表示されている。そして、その下側には、文字列情報の入力を受け付ける編集情報入力欄６１が表示されている。図５の場合には、編集情報入力欄には文字列が標示されていないが、予めガイド情報が存在する場合には、そのガイド情報に係る文字列が編集情報入力欄に表示される。そして、ガイド情報の編集領域画像５７の下端部には、キャンセルボタン表示６３と、確定ボタン表示６５とが表示されている。
【００３１】
（ステップＳ０５）
次に、制御部１は、ユーザからの編集情報の入力を受け付ける。ユーザは、編集情報入力欄６１内に、例えばキーボードを操作して文字列を入力することによって編集情報を入力する。図６は、ガイド情報の編集領域画像の一例を示す図であって、ユーザが編集情報入力欄６１に文字列を入力した状態を示す図である。図６に示すように、編集情報入力欄６１には、ユーザのキーボード操作によって、
「発注数量は以下の条件で入力してください
１．最小発注数以上
２．発注単位の倍数
なおこれと異なる場合は警告を発します」
という文字列が入力されている。なお、この場合には、図５に示される入力前の状態において、文字列情報が表示されていなかったので、上述した文字列はユーザが全文これを入力する必要があるが、例えば、従前のガイド情報が存在し、図５の状態において文字列が表示されている場合には、既存の文字列を編集して所望の文字列を作成することもできる。
【００３２】
（ステップＳ０６）
そして、図６の状態において、ユーザが確定ボタン６５をオンにすると、編集情報入力欄６１に表示された文字列がガイド情報として確定され、制御部１は、このガイド情報をガイド情報データ格納部１７に格納し、これによって従前のガイド情報を更新する。これによって、ガイド情報編集プログラムは終了される。
【００３３】
次に、上述した手順によって編集され、更新されたガイド情報を表示する方法について説明する。例えば、ユーザが発注数量入力欄３７に関するガイド情報を参照したい場合、ユーザは、図４に示したように、カーソル５５を「発注数量」という項目名表示上に移動させる。そして、ユーザが例えばマウスを右クリックする等の、ガイド情報の編集の要求とは異なった所定の操作をすることによって、ガイド情報が表示される。
【００３４】
図７は、本実施形態におけるガイド情報の表示の一例を示す図である。図７に示すように、ガイド情報表示６７は、ガイド情報の文字列が表示される文字列表示欄６９と、視覚的な効果を高めるために設けられたキャラクター表示７１とを有してなる。そして、文字列表示欄６９の中には、上述したステップＳ０５においてユーザが入力した文字列が表示されている。
【００３５】
以上のように、本実施形態によれば、文字情報の入力欄等をマウスで指定し、特定のキー操作を行うという簡単な操作によって、その文字情報の入力欄と同一表示部にガイド情報の編集領域画像を表示することができる。そして、このガイド情報の編集領域画像内に編集情報を直接入力することによって、容易にガイド情報を編集することができる。これによって、発注入力プログラムの利用者は、プログラムの利用中に、タイムリーに所望のガイド情報を編集することができ、これによって例えば会社の業務等に適したガイド情報を利用者が容易に作成することができる。
【００３６】
なお、本発明は、上述した実施形態に限定されるものではなく、適宜変更を加えることが可能である。例えば、上述した実施形態においては、ガイド情報編集プログラムはコンピュータで利用されるものであったが、例えば携帯情報端末（ＰＤＡ）や、携帯電話機等、コンピュータ以外の機器で利用してもよく、要するに表示部と入力部とを有し、当該プログラムを実行する機能を有するものであれば足りる。また、上述した実施形態のガイド情報は、文字情報の入力欄に関するものであったが、他の表示を対象としてもよい。例えば、アプリケーションプログラムのいわゆるツールバー等に表示されるコマンドのアイコンや、チェックボックス、ボタン表示等のガイド情報を本発明に係るガイド情報編集プログラムによって編集するようにしてもよい。また、キーボードやポインティングデバイスの操作方法も、上述した実施形態のものに限定されない。また、入力装置として、例えば画面を感圧または感接触パネル（タッチパネル）とし、これによってユーザが各種の操作を行うようにしてもよい。また、タブレットとペンとを用いてもよい。
【００３７】
また、上述した実施形態においては、ユーザは誰でもガイド情報の編集を行えるようになっていたが、ガイド情報編集プログラムに、ユーザがガイド情報を編集する権限を有する者か否か、判断する機能を設けて、権限がないと判断された場合には、ガイド情報の更新を拒絶するようにしてもよい。例えば、上述したステップＳ０１に引き続いてガイド情報編集プログラムを起動する際に、ユーザに所定のユーザＩＤおよびパスワードの入力を促し、正しく入力されなかった場合には、ガイド情報編集プログラムを終了させるようにしてもよい。これによれば、ガイド情報が無権限者によってむやみに改ざんされることを防止できる。
【００３８】
また、上述した実施形態においては、ガイド情報データはスタンドアローンのコンピュータがその記憶部に格納するようになっているが、ガイド情報データをネットワークを介して複数の端末に接続された記憶媒体に格納し、複数の端末によって共用してもよい。このようにすると、複数の端末によって利用されるガイド情報を一元的に管理でき、また、代表者等が入力したガイド情報を他の人も利用できるので便利である。なお、このようなネットワークは、例えばインターネット等の大規模ネットワークであってもよいし、また、企業内、家庭内等に構築されるＬＡＮであってもよい。
【発明の効果】
本発明によれば、所望の項目のガイド情報の編集をユーザサイドで容易に行うことができる。
【図面の簡単な説明】
【図１】本発明を適用してなるガイド情報編集プログラムの一実施形態を実行するコンピュータの構成を示すブロック図である。
【図２】図１のコンピュータが実行するアプリケーションプログラムの画面表示の一例を示す図である。
【図３】図１のコンピュータが実行するガイド情報編集プログラムの手順を示すフローチャートである。
【図４】図１のコンピュータが実行するガイド情報編集プログラムの画面表示の一例を示す図である。
【図５】図１のコンピュータが実行するガイド情報編集プログラムの画面表示の他の例を示す図である。
【図６】図１のコンピュータが実行するガイド情報編集プログラムの画面表示の他の例を示す図である。
【図７】図１のコンピュータが実行するアプリケーションプログラムにおけるガイド情報の画面表示の一例である。
【符号の説明】
１  制御部
３  入力部
５  入力処理部
７  表示部
９  表示処理部
１１  記憶部
１３  アプリケーションプログラム格納部
１５  ガイド情報編集プログラム格納部
１７  ガイド情報データ格納部
２３  情報入力領域
２５  発注ナンバー入力欄
２７  直前発注ナンバー表示欄
２９  商品コード入力欄
３１  品名表示欄
３３  仕入先コード入力欄
３５  仕入先名表示欄
３７  発注数量入力欄
３９  仕入単価入力欄
４１  発注金額表示欄
４３  納期入力欄
４５  回答納期入力欄
４７  注文書出力命令入力欄
５１  確定ボタン表示
５５  カーソル
５７  編集領域画像
６１  編集情報入力欄
６５  確定ボタン表示
６７  ガイド情報表示
６９  文字列表示欄
７１  キャラクター表示
【図１】
2004334298.tif 000003
【図２】
2004334298.tif 000004
【図３】
2004334298.tif 000005
【図４】
2004334298.tif 000006
【図５】
2004334298.tif 000007
【図６】
2004334298.tif 000008
【図７】
2004334298.tif 000009